(57)【要約】【課題】洗濯物に直接に触れて作業する衛生上からの欠点を解決することをその課題とするものである。即ち、洗濯物を出す本人でない洗濯をする人が洗濯物に触れることなく洗濯を行えるキャビネットを提供することをその課題としている。【解決手段】洗濯機５の上方壁面に設置され洗濯物１１を収納するキャビネットＡにおいて、取付基板１に下端がヒンジ結合された上下に開閉自在な扉板２の裏面と取付基板１との間に折りたたみ自在な収納部１０を設け、扉板２には収納部１０に収納した洗濯物１１を落下させる開口部３を形成し該開口部３を開閉する蓋板４を扉板２の前端側部より引き出し自在に設け、扉板２は開放した状態では水平に保持されると共に扉板２の前端側部より蓋板４を引き出して開口部３を開口せしめてなるものである。【選択図】図３
2008000314.tif 000002
【特許請求の範囲】
【請求項１】
洗濯機の上方壁面に設置され洗濯物を収納するキャビネットにおいて、取付基板に下端がヒンジ結合された上下に開閉自在な扉板の裏面と取付基板との間に折りたたみ自在な収納部を設け、扉板には収納部に収納した洗濯物を落下させる開口部を形成し該開口部を開閉する蓋板を扉板の前端側部より引き出し自在に設け、扉板は開放した状態では水平に保持されると共に扉板の前端側部より蓋板を引き出して開口部を開口せしめるキャビネット。
【発明の詳細な説明】
【技術分野】
【０００１】
本発明は、洗濯機の上方壁面に設置され洗濯物を収納するキャビネットに関するもので、洗濯物に手を触れることなく洗濯物を洗濯機に容易に投入することができるものである。
【０００２】
さらに詳しく述べれば、取付基板に下端がヒンジ結合された上下に開閉自在な扉板の裏面と取付基板との間に折りたたみ自在な収納部を設け、扉板には収納部に収納した洗濯物を落下させる開口部を形成し該開口部を開閉する蓋板を扉板の前端側部より引き出し自在に設け、扉板は開放した状態では水平に保持されると共に扉板の前端側部より蓋板を引き出して開口部を開口せしめるキャビネットに関するものである。
【背景技術】
【０００３】
従来から特許文献１に示される如く、壁面に取り付けたキャビネットの扉板を物置台として利用することは知られている。即ち、この扉板はリンク機構により開閉可能に設けられており、扉板を開くとほぼ水平な状態に維持され、物置台として利用することができるもので、洗濯機の上方で洗濯物の仕分け等を容易にできるものである。又、特許文献２に示される如く、奥行き寸法を調節可能とした引き出し（折りたたみ自在な収納部）は知られている。具体的には両側板及び底板の各々を伸縮自在な蛇腹で形成したものである。
【０００４】
特許文献１に示されるキャビネットは洗濯物（洗濯する前の衣類）の仕分けを洗濯機の上方で楽な姿勢で行うことができるものであるが洗濯物に直接触れないようにすることに対する配慮が無いものであった。即ち、洗濯物（洗濯する前の衣類）は汚れており、特に下着等は衛生上からも第三者が直接に手を触れることは好ましいものでなかった。又、特許文献２に示される奥行き寸法を調節可能とした引き出し（折りたたみ自在な収納部）は多種の寸法に対応することができるものであることを示すのみである。
【特許文献１】特開２００２−１８６５３３号公報  （図１）
【特許文献２】特開２００３−９３１７６号公報  （図１）
【発明の開示】
【発明が解決しようとする課題】
【０００５】
本発明は上記特許文献１におけるキャビネットの欠点、即ち、洗濯物に直接に触れて作業する衛生上からの欠点を解決することをその課題とするものである。詳細に述べれば、収納部に収納した洗濯物を落下させる開口部を扉板に形成し該開口部を開閉する蓋板を扉板の前端側部より引き出し自在に設け、扉板は開放した状態では水平に保持されると共に扉板の前端側部より蓋板を引き出して開口部を開放し洗濯物を洗濯機に投入するもので、洗濯物に直接に触れる必要がないものである。
【課題を解決するための手段】
【０００６】
上記課題を解決するために、本発明に係るキャビネットは、請求項１に記載した如く、洗濯機の上方壁面に設置され洗濯物を収納するキャビネットにおいて、取付基板に下端がヒンジ結合された上下に開閉自在な扉板の裏面と取付基板との間に折りたたみ自在な収納部を設け、扉板には収納部に収納した洗濯物を落下させる開口部を形成し該開口部を開閉する蓋板を扉板の前端側部より引き出し自在に設け、扉板は開放した状態では水平に保持されると共に扉板の前端側部より蓋板を引き出して開口部を開口せしめてなるものである。
【発明の効果】
【０００７】
請求項１に記載のキャビネットは、洗濯物が扉板の裏面と取付基板との間に設けられた折りたたみ自在な収納部に本人により収納され、洗濯をする人は折りたたみ自在な収納部に収納された洗濯物を扉板の前端側部より蓋板を引き出すことにより開口部を開口せしめて洗濯機内に洗濯物を落下せしめるのである。このために、洗濯物に触れる人は洗濯物を出す本人だけであり、洗濯をする人は洗濯物に触れることなく洗濯機に投入できるものである。このために、他人の洗濯物に触れる必要がなく衛生面から好ましいものである。
【発明を実施するための最良の形態】
【０００８】
以下、本発明の実施形態について図面を参照して、詳細に説明する。図１は本発明の実施例であるキャビネットの使用されていない状態を示す斜視図、図２及び図３は図１に示す実施例の使用状態を示す斜視図である。図１〜３において、Ａはキャビネット、１は取付基板、２は扉板、３は開口部、４は蓋板、５は洗濯機である。
【０００９】
キャビネットＡは洗濯機５の上方壁面に取付基板１をビス６により固定することにより設置されるものである。このキャビネットＡは取付基板１に下端がヒンジ結合された上下方向に開閉自在な扉板２が設けられている。扉板２には開口部３が形成され、開口部３には開口部３を開閉する蓋板４が設けられている。蓋板４は扉板２の前端側部より引き出し自在であり、蓋板４を引き出すことにより扉板２の開口部３を開口するものである。７は蓋板４を引き出すための引き手であり、８は扉板２を開閉する把手である。
【００１０】
キャビネットＡを使用するときは把手８により扉板２を下方に開く。図２に示す如く扉板２はリンク９により水平位置で停止し、収納部１０を扉板２の開口部３上に出す。収納部１０は取付基板１と扉板２の間に折りたたんで保持されていたものである。この収納部１０は洗濯物１１を収納するものである。収納部１０に収納した洗濯物１１を洗濯するときは、扉板２に引き出し自在に保持されていた蓋板４の引き手７を引くことにより図３に示す如く、扉板２の開口部３を開口せしめ、収納部１０に収納した洗濯物１１を洗濯機５内に投入する。洗濯機５内に投入された洗濯物１１の洗濯は通常通り行う。
【００１１】
このキャビネットＡでは洗濯物を出す本人以外の人が洗濯物（洗濯前の物）に触れる必要がなく、衛生上から適したものである。又、扉板２に引き出し自在に保持されていた蓋板４の引き手７を引くことにより図３に示す如く、扉板２の開口部３を開口せしめ、収納部１０に収納した洗濯物１１を洗濯機５内に投入するために投入作業に大きな空間を必要としないものである。而も、キャビネットＡは使用しないときは扉板２が閉鎖され壁面に保持されているために、場所を取らず、洗濯作業の邪魔にならないものであり、洗濯機５が置かれる洗面所や脱衣室の狭い場所に適したものである。
【図面の簡単な説明】
【００１２】
【図１】本発明にかかるキャビネットの実施例の斜視図。
【図２】図１に示す実施例の使用状態の斜視図。
【図３】図１に示す実施例の異なった使用状態の斜視図。
【符号の説明】
【００１３】
１        取付基板
２        扉板
３        開口部
４        蓋板
５        洗濯機
６        ビス
７        引き手
８        把手
９        リンク
１０      収納部
１１      洗濯物
Ａ        キャビネット
【図１】
2008000314.tif 000003
【図２】
2008000314.tif 000004
【図３】
2008000314.tif 000005